(57)【要約】フィルター作製装置は配置装置を通る通路を持つ配置装置を含み、この通路は繊維材料の連続ストランドのような連続香味素子（７０）を通路の入口から通路の出口まで案内する。液体香味剤（６０）が通路中に希望の流速で導入され、材料のストランドが供給された液体香味剤を希望の流速に実質的に等しい速度で配置装置から運び出す。
2005521399.tif 000002
【特許請求の範囲】
【請求項１】
フィルター作製装置であって、それが：
フィルタートウ収束装置；
第一入口、第二入口、及び出口を有する通路を持つ香味素子配置装置であって、第一と第二入口の少なくとも一つが通路と流体連通しており、出口がフィルタートウ収束装置の少なくとも一部から下流のある点に配置されている香味素子配置素子；
前記出口の上流の香味剤の浴中に前記通路を通過する香味剤の幾らかを集めるのに適合した前記配置装置の第一部分；
を含むことを特徴とするフィルター作製装置。
【請求項２】
前記配置装置の第二部分が前記第一入口を通して導入された香味素子を前記浴中に向け、前記香味素子が前記浴から前記出口を通過することを特徴とする請求項１に記載のフィルター作製装置。
【請求項３】
配置装置が前記第一部分が装置の低部にあるように出口に向けて上向きに傾斜していることを特徴とする請求項１に記載のフィルター作製装置。
【請求項４】
出口が香味剤に望ましくない背圧を作ることなく香味素子の通過を可能とするのに十分な大きさの内径を持つことを特徴とする請求項３に記載のフィルター作製装置。
【請求項５】
前記フィルタートウ収束装置が輸送ジェット及び空気じょうごを含むことを特徴とする請求項１に記載のフィルター作製装置。
【請求項６】
前記香味素子配置装置が前記フィルタートウ収束装置上に調整可能に取り付けられていることを特徴とする請求項１に記載のフィルター作製装置。
【請求項７】
前記フィルタートウ収束装置が輸送ジェットと空気じょうごを含むことを特徴とする請求項６に記載のフィルター作製装置。
【請求項８】
前記入口の少なくとも一つが大気圧に開放していることを特徴とする請求項１に記載のフィルター作製装置。
【請求項９】
前記香味素子配置装置が屈曲管から形成されていることを特徴とする請求項１に記載のフィルター作製装置。
【請求項１０】
前記屈曲管がそれを通る収束通路を構成することを特徴とする請求項９に記載のフィルター作製装置。
【請求項１１】
フィルター作製装置であって、それが：
配置装置であって、それを通る通路を持ち、前記通路が材料の連続ストランドを前記通路の入口から前記通路の出口まで案内する配置装置；
前記通路に略大気圧で別の入口を通して供給された液体香味剤の浴を形成する前記通路の一部；及び
フィルタートウ材料をじょうごに通す収束装置の少なくとも一部の下流のある点、及びフィルター材料が円筒状棒に形成される場所の上流のある点のフィルタートウ材料の経路内に配置されている前記通路の出口；
を含むことを特徴とするフィルター作製装置。
【請求項１２】
フィルターを作る方法であって、それが：
フィルター材料の供給体を前進させること；
前進するフィルター材料を棒形状に収束すること；
材料の連続ストランドを配置装置に通過させ、フィルタートウ材料が棒に形成される場所の上流のある点でストランドを前進するフィルター材料に同伴させること；
配置装置の少なくともある部分に液体香味剤の浴を形成すること；及び
ストランドを配置装置の別の部分により浴を通して向けること；
を含むことを特徴とする方法。
【請求項１３】
請求項１に記載のフィルター作製装置を用いてフィルターを作る方法であって、それが：
フィルタートウ材料の供給体を前進させること；
前進するフィルタートウ材料を棒形状にするためにじょうごを通すこと；
材料の連続ストランドを配置装置を通過させて材料のストランドを前進するフィルタートウ材料に同伴させること；
略大気圧で液体香味剤を配置装置に予め決められた流速で供給すること；及び
材料のストランドを前進するフィルタートウ材料に同伴される前に液体香味剤に通過させ、材料のストランドが予め決められた流速に実質的に等しい速度で配置装置から供給された液体香味剤を運び出すこと；
を含むことを特徴とする方法。
【請求項１４】
前進するフィルタートウ材料に関して配置装置の出口の位置を配置装置を支持するブラケット上の調整装置を操作することによりフィルタートウ収束装置に関して調整すること；
を更に含むことを特徴とする請求項１３に記載の方法。
【請求項１５】
前進するフィルタートウ材料に同伴された材料の連続ストランドを持つフィルタートウ材料を収束して連続フィルター棒を形成すること；
を更に含むことを特徴とする請求項１４に記載の方法。
【請求項１６】
連続フィルター棒をペーパー材料に包み、フィルター棒を希望の長さの切片に切断すること；
を更に含むことを特徴とする請求項１５に記載の方法。
【請求項１７】
フィルター作製装置であって、それが
第一入口、第二入口、及び出口を有する通路を持つ香味素子配置装置を含み、前記第二入口が前記通路と流体連通しておりかつ前記第一入口の下流に配置されており、そして
前記配置装置の第一部分が曲がった部分を形成しており、この曲がった部分が前記配置装置を通過する香味素子を前記曲がった部分の下流の前記配置装置の底に沿った位置に案内するのに適合していることを特徴とするフィルター作製装置。
【請求項１８】
前記通路の出口がフィルタートウ材料の経路内でフィルター材料をじょうごに通す収束装置の少なくとも一部分の下流のある点、及びフィルター材料が棒に形成される場所の上流のある点に配置されるのに適合していることを特徴とする請求項１７に記載のフィルター作製装置。
【請求項１９】
前記出口から反対の前記配置装置の端部にドレン出口を更に含むことを特徴とする請求項１８に記載のフィルター作製装置。
【請求項２０】
前記通路が可変断面を持つことを特徴とする請求項１９に記載のフィルター作製装置。
【請求項２１】
前記配置装置の前記出口をフィルタートウ材料の経路に関して調整可能に配置する支持ブラケットを更に含むことを特徴とする請求項２０に記載のフィルター作製装置。
【発明の詳細な説明】
【技術分野】
【０００１】
この発明はフィルターを通して引き出された煙の味に影響を及ぼす中央に位置した香味付き素子を組み込んだ紙巻きたばこフィルターを作るための方法と装置に関する。
【背景技術】
【０００２】
香味剤を組み込んだたばこ煙フィルターが作られており、そこではこの香味剤はフィルター材料が収束されてフィルター製品を形成するように形状付与される前にフィルター材料の上に均一に付与される。これらの従来のフィルターの例は結合された酢酸セルロースフィラメント状トウから作られた香味付きたばこ煙フィルターを含み、そこではトリアセチンのような液体可塑剤がトウがその最終棒形状に収束される前にトウ上に均一に噴霧される。香味剤は通常液体可塑剤中に溶解され、可塑剤は隣接フィラメント間の結合をもたらす。
【０００３】
紙巻きたばこフィルターを作る他の方法は米国特許４５４９８７５，４７６８５２６及び４２８１６７１号に開示されている。
【０００４】
たばこ煙フィルターを作るための従来法を実施する際に特別の香味剤の使用が終了されるべきときまたは一つの香味剤が他に置換されるべきときに問題が生ずることが見出された。これらの問題は可塑剤が付与される噴霧ブースが採用された第一香味剤で汚染され、従って引き続いて作られるフィルターが、製造が停止され、汚染されたブースが清掃または置換されない限り汚染されるために生ずる。
【０００５】
香味付き素子をフィルターの内部中に導入するための既知の方法はまたフィルターを通過する煙に希望の効果を達成するためには香味剤が紙巻きたばこフィルター内に適正な量でまたは適正な場所に導入されないことが多いという不利を受けており、かつ煙フィルター内の香味付き素子の位置は正確に制御されることができなかった。
【発明の開示】
【０００６】
フィルター、特にたばこ煙フィルターを作るための従来技術システムの不利を考慮して、この発明によるたばこ煙フィルター棒を連続的に作る方法はフィルタートウ材料の供給体を前進させること、前進するフィルタートウ材料を棒形状に収束すること、繊維材料の連続ひものような香味素子を配置装置を通過させてフィルタートウ材料を棒形状に収束するある地点で前進するフィルタートウ材料に香味素子を同伴させること、そして配置装置を部分的に満たすように液体香味剤を略大気圧で配置装置に供給することを含む。一実施例において、液体香味剤の浴が配置装置の通路内に形成され、香味素子が前進するフィルタートウ材料に同伴される前に香味剤の浴を通過させられる。連続香味素子は好ましくは液体香味剤の最大量を吸収し、かつ完成されたフィルター棒内の中央に配置される香味素子により香味剤を運ぶ品質を持つ少なくとも一本の糸または他の材料である。
【０００７】
配置装置はフィルタートウをフィルター棒に収束するために設計された器具に関して形状を付与されかつ配置されることができ、配置装置の第一部分は液体香味剤の浴を形成し、一方配置装置の第二部分は連続繊維材料を繊維材料が配置装置の出口から出る前にその浴中に向ける。
【０００８】
配置装置は好ましくは少なくも第一と第二の入口を備えており、連続香味素子が第一入口を通過し、液体香味剤が第二入口を通して供給される。好適実施例において、配置装置は第一入口近くに屈曲部または“グースネック”を持つ形状をしており、従ってグースネックを通過する連続香味素子は出口までの残りの経路の間配置装置の底に維持される。これは香味素子が配置装置の底に集まり、またはこの装置を通る通路に沿った中間点で供給される液体香味剤中に残るであろうことを確実とする。
【０００９】
液体香味剤は好ましくは希望の速度で装置の一端にまたはある中間の下流点に配置されることができる第二入口を通して計量ポンプを用いて配置装置中に供給され、一方連続香味素子は第一入口を通して配置装置中に導入される。液体香味剤は繊維材料により部分的に吸収され及び／または表面張力により繊維材料に付着する。このとき繊維材料と香味剤は配置装置を通る通路の出口に向かって配置装置を通して移動する。配置装置はフィルタートウ材料の経路内の収束装置の少なくとも一部の下流のある点に配置されている。この収束装置はフィルタートウ材料をじょうごを通して棒形状にする。好ましくは、香味素子はそれが浴を通過するとき、または香味素子が液体香味剤のための入口から下流の通路の底に沿って移動するとき、液体香味剤により少なくとも部分的に飽和される。
【００１０】
伝統的なフィルター作製器具では、配置装置の出口は収束装置の一部を形成する輸送ジェット及び空気じょうごの下流に配置される舌状部の下に配置されることができる。舌状部はフィルタートウ材料が棒形状に収束される前の最終段階でそれを案内し、配置装置は完成されたフィルター棒内の繊維材料の連続長の希望の配置を確実とする舌状部に関してのある位置に液体香味剤及び連続香味素子を案内する。
【００１１】
配置装置は好ましくはそれがフィルター作製器具と組み立てられるときその出口端に向けて上向きに傾斜させられる。液体香味剤の導入のための入口は香味素子が導入されるところから下流のある点で、または別個の入口を通して装置の同じ端部で、装置に沿って配置されることができる。配置装置の上流部は配置装置の中間低点に液体香味剤の浴を形成するように形状付与されることができる。香味剤の浴が装置内に形成される装置の実施例において、連続香味素子は入口を通して配置装置に入り、好ましくは配置装置の出口から出る前に配置装置の案内部により液体香味剤の浴を通して案内される。フィルター作製器具の舌状部の下で配置装置の出口周りに収束するフィルタートウ材料はトウ材料が下流方向に移動し続けるときフィルタートウ材料と一緒に連続香味素子を引っ張り、完成したフィルター棒に形成される。連続香味素子はそれが配置装置の出口から出るとき液体香味剤を運ぶ。
【００１２】
通路を通る香味素子の移動速度は香味素子が装置の底に集まる香味剤を通過するとき装置中に導入された液体香味剤の全てを運ぶことができるように液体香味剤が通路中に導入される速度と同調されることができる。代替実施例では、配置装置の一部が液体香味剤を浴中に集めるように形状付与されることができ、その浴を通して香味素子が通過させられる。好ましくは、香味素子により運ばれる液体香味剤の量が配置装置中に計量されるのと同じ量である平衡点が達成される。この平衡点は維持され、配置装置を通る通路は大気圧のままである。配置装置の入口を通して液体香味剤を供給する計量ポンプは好ましくは装置中に導入されるか、または配置装置の低点の浴内に導入されて集められる液体香味剤の量が配置装置の出口から出るとき連続香味素子がそれと一緒に液体香味剤を引っ張るのと実質的に同じであるように制御される。
【００１３】
配置装置は微調整装置を備えることができ、従ってフィルター作製器具の舌状部の下の収束フィルタートウ材料に関してのその最終位置が正確に制御されることができる。液体香味剤を運ぶ連続香味素子を完成した紙巻きたばこフィルター棒を通る最大空気流の経路の中央に位置させることが好ましい。配置装置の出口は好ましくは配置装置内にどのような望ましくない背圧を作ることなく液体香味剤を運ぶ繊維材料の連続長のような連続香味素子の通過を可能とするのに十分な直径を備えており、かつなお配置装置の出口はフィルタートウ材料が舌状部により最終棒形状に形状付与されるところの点で収束フィルタートウ材料の経路中に非常に大きく突出しないように十分小さな外径に維持される。
【００１４】
図面の簡略説明
この発明が添付図面に関して例としてのみ例示される。
図面において：
【００１５】
図１Ａは本発明の第一実施例による配置装置を含むフィルターを形成するための装置の一部の側面図である。
【００１６】
図１Ｂは装置の入口端から取った、図１Ａに示された装置の端面図である。
【００１７】
図１Ｃは装置の出口端から取った、図１Ａに示された装置の端面図である。
【００１８】
図２は配置装置を通る通路内に形成された液体香味剤の浴を示す、図１Ａに示された配置装置の部分断面図である。
【００１９】
図３Ａと３Ｂは配置装置を配置するための水平及び垂直調整ノブを持つブラケットの詳細を示す。
【００２０】
図４Ａと４Ｂは本発明の第二好適実施例による配置装置を含むフィルターを形成するための装置を示す。
【００２１】
図５Ａ−５Ｄは図４Ａと４Ｂに示された配置装置の詳細図を示す。
【発明を実施するための最良の形態】
【００２２】
最初に図１Ａを参照するに、この発明による配置装置の一実施例がフィルタートウ材料から作られたフィルター棒内の略中央に位置した香味素子７０の配置を提供するために標準フィルター作製器具と組み合わされている。配置装置２０は図１Ａ，３Ａ及び３Ｂに示されるようなブラケット２６、水平調整ノブ２８ａ及び垂直調整ノブ２８ｂによりフィルター作製器具に関して設けられかつ調整可能に配置される。ブラケット２６は輸送ジェット３０及び空気じょうご４０に関して所定位置に配置装置２０を保持することができ、配置装置２０の出口端２０ｂは空気じょうご４０から出る収束フィルタートウ材料を出口端２０ｂの下流の標準装具中に案内する舌状部５０の下に配置され、そこでフィルタートウは棒形状に形状付与される。得られる連続棒は次いでフィルター紙により巻かれ、この外被は重ねられて接着剤で結合された継ぎ目により固定される。
【００２３】
酢酸セルローストウのようなフィルタートウ材料はベールから引き出され、フィルタートウ材料が輸送ジェット３０により収束されかつ適当な装置（図示せず）を介して輸送ジェット３０に供給される圧縮空気の注入により毛羽立てられ始める前に輸送ジェット３０の上流に設けられた一連のローラー（図示せず）の上を通過させられることができる。輸送ジェットの出口端を出た後、毛羽立てられたフィルタートウ材料は次いで更に舌状部５０の下に入る前に空気じょうご４０により収束される。
【００２４】
配置装置２０は第一入口２０ａ、第二入口２０ｃ及び出口２０ｂを備えている。香味素子７０は入口２０ａを通して導入され、配置装置２０の第一部分２２により配置装置２０の第二下方部分２０ｄに案内されることができる。
【００２５】
香味素子は綿糸、酢酸セルロース、レーヨン、または液体香味剤を吸収することができる他の繊維または非繊維材料を含むがそれに限定されない種々の材料から選択されることができる。綿糸が特に本発明の実施のために望ましいが、本発明の範囲はまた液体香味剤または他の煙強化物質を吸収することができる他の適当な材料の使用を含む。
【００２６】
配置装置２０は好ましくはそれを通る通路を持つ非直線管と、その管の一部分に固定された香味剤導入付属装置とを含む。香味剤導入付属装置は管の上流端でまたは香味素子が導入される場所の下流の中間位置で管に連結されることができる。配置装置２０は好ましくはその出口端２０ｂに向けて上向きに傾斜している。図１Ａ−２に示された実施例では、液体香味剤６０は配置装置２０中に第二入口２０ｃを通して導入されることができる。配置装置中に導入される液体香味剤６０の量は計量ポンプ（図示せず）により制御されることができる。液体香味剤は配置装置２０の下方部分２０ｄに集まり浴６０ａを形成する。液体香味剤は好ましくは入口２０ａまたは出口２０ｂで溢流しない速度で供給される。配置装置２０は液体香味剤６０の十分な容量を下方部分２０ｄの浴６０ａ内に集めることを可能とするために収斂部分２０ｅのようなその内径に変化を備えることができ、一方出口端２０ｂが収束フィルタートウ材料が棒に形成される前にそれを妨害するような大きな径２０ｂ′′を持たないことを確実とする。
【００２７】
図１Ｃに示されるように、配置装置２０の出口端２０ｂは液体香味剤６０を運ぶ連続香味素子７０が配置装置内に望ましくない背圧を作ることなく希望の位置で出口端２０ｂから出るように十分に大きな内径２０ｂ′を備えている。香味素子は０．１−３ｍｍの範囲内の直径を備えることができ、出口端２０ｂの内径はもし望ましいなら０．５−３０ｍｍの範囲内であることができる。好適実施例において、連続香味素子は略０．５ｍｍの直径を持ち、一方出口端２０ｂの内径は略３．０ｍｍである。
【００２８】
図４Ａ−５Ｃに示された実施例において、液体香味剤は香味素子が導入される場所から下流位置で導入される。図４Ａと５Ｂに示されるように、配置装置は香味素子７０が導入される場所のちょうど下流に“グースネック”部分を持つ形状を持つことができる。この形状は香味素子が配置装置の底に沿って出口に移動することを確実とする。図４Ａ−５Ｄを参照するに、配置装置１２０の例示された実施例は香味素子７０の通過のための入口１２０ａ、付属ドレン出口１２０ｆを持つ屈曲部または“グースネック”部１２０ｄ、液体香味剤６０の導入のための下流入口１２０ｃ、及び出口１２０ｂを持つ。連続香味素子は入口１２０ａを通して導入され、グースネック部１２０ｄにより案内され、従って香味素子は次いで図５Ｂと５Ｃに最も良く見えるように、出口１２０ｂへの全経路を配置装置１２０の底に追従する。液体香味剤６０は配置装置１２０中に、平衡が達成されたとき、香味素子が配置装置を通る通路の底に沿って移動する香味素子が入口１２０ｃを通して導入された香味剤を部分的に吸収し、その全てを運ぶような速度で下流入口１２０ｃを通して導入され、香味素子は出口１２０ｂから収束フィルタートウ材料の経路中に出る。ドレン出口１２０ｆが香味素子入口１２ａに隣接して装置１２０の端部に設けられることができる。装置１２０は出口１２０ｂに向けて上向きに傾斜しているので、出口端１２０ｂから反対の装置１２０の端部のドレン出口１２０ｆは最下方点にあり、香味素子により装置１２０から運び出されなかった過剰香味剤を排出するための手段を提供する。収集容器１８０がドレン出口１２０ｆの端部に設けられることができ、過剰香味剤の蒸発損失を避けることができる。
【００２９】
空気じょうご４０を通してかつ舌状部５０の下で収束するフィルタートウ材料は図１Ａの実施例では配置装置２０の出口端２０ｂをかつ図４Ａでは装置１２０の出口端１２０ｂを完全に取り囲む。フィルタートウ材料は出口端２０ｂ，１２０ｂを過ぎて下流に続くので、トウ材料はそれと一緒に出口端２０ｂ，１２０ｂから出る香味素子７０を引っ張る。配置装置２０，１２０を支持する、図３Ａと３Ｂで最も良く見えるブラケット２６と調整ノブ２８ａ，２８ｂは収束フィルタートウ材料に関して出口端２０ｂ，１２０ｂの正確な配置を可能とする。
【００３０】
図１Ｂの端面図で最も良く見えるように、図１Ａ−１Ｃに示された実施例で使用される配置装置２０の入口端部２２は、配置装置２０と輸送ジェット３０及び空気じょうご４０を含むフィルター作製器具との間に希望の隙間を達成するために、または輸送ジェット中に通過するフィルター材料との隙間を達成するために、垂直から希望の角度に回転されることができる。この実施例の第二入口２０ｃでの高さはまた、入口２０ｃを通して導入された液体香味剤が高水頭により出口端２０ｂから強制されることなく低部２０ｄの浴中に集まるように選ばれることができる。
【００３１】
配置装置２０を支持するブラケット２６は輸送ジェット３０及び空気じょうご４０と一体的に形成されることができ、またはそれはそうでなければ通常の結合技術を用いてそれに連結されることができる。図１Ａの実施例では、ブラケット２６及び配置ノブ２８ａ，２８ｂにより制御される配置装置２０の方位は、入口２０ｃを通して導入された液体香味剤の希望の量が配置装置の低部２０ｄに集まって液体香味剤の浴６０ａを形成することを確実とする。入口２０ａを通して導入された連続香味素子は、次いで香味素子７０が配置装置２０の出口端２０ｂから出るとき液体香味剤６０が香味素子７０により部分的に吸収され及び／または表面張力によりそれにくっつくかのいずれかであるように配置装置２０の入口部２２により浴６０ａ中に案内される。もし希望するなら、配置装置は他の配置で設けられることができ、そこでは図４Ａの実施例のように、通路がその長さに沿って浴を含み、または浴が形成されないように装置に導入された全ての液体香味剤を香味素子が除去する。
【００３２】
連続香味素子が低部２０ｄに集められた浴を通過することによって、または配置装置に導入されている香味剤を通過することによって液体香味剤で部分的に飽和された後、それは出口端２０ｂ，１２０ｂから下流で収束フィルタートウにより同伴され、舌状部５０により連続棒中に合体される。連続フィルター棒は次いで希望の長さに切断され、それぞれがフィルター棒の略中央に、または他の希望の位置に配置された香味素子を持つフィルターまたはフィルター断片を形成することができる。
【００３３】
本発明による配置装置を含むフィルター作製装置の実施例が図面に示されているが、この発明は説明された実施例に限定されず、添付特許請求の範囲の範囲内で他の配置を包含することができる。この配置装置はフィルタートウ材料を棒形状に収束するための他の配置を持つフィルター作製装置と共に使用されることができる。この配置装置はフィルタートウ材料から形成されるフィルターまたはフィルター断片内の香味素子の正確な配置を提供する。フィルタートウ材料が完成フィルター棒に収束されるとき、フィルタートウ材料は香味素子が完成棒の略中央に配置されるようにそれと一緒に液体香味剤を運ぶ連続香味素子を引っ張る。これに代えて、この配置装置は完成フィルター棒内の異なる希望の位置に連続香味素子を配置するために使用されることができる。配置装置の寸法及び方位は上述の管状装置以外の装置内に浴を設けるように変更されることができる。
【図面の簡単な説明】
【００３４】
【図１Ａ】本発明の第一実施例による配置装置を含むフィルターを形成するための装置の一部の側面図である。
【図１Ｂ】装置の入口端から取った、図１Ａに示された装置の端面図である。
【図１Ｃ】装置の出口端から取った、図１Ａに示された装置の端面図である。
【図２】配置装置を通る通路内に形成された液体香味剤の浴を示す、図１Ａに示された配置装置の部分断面図である。
【図３Ａ】配置装置を配置するための水平及び垂直調整ノブを持つブラケットの詳細を示す。
【図３Ｂ】配置装置を配置するための水平及び垂直調整ノブを持つブラケットの詳細を示す。
【図４Ａ】本発明の第二好適実施例による配置装置を含むフィルターを形成するための装置を示す。
【図４Ｂ】本発明の第二好適実施例による配置装置を含むフィルターを形成するための装置を示す。
【図５Ａ】図４Ａと４Ｂに示された配置装置の詳細図を示す。
【図５Ｂ】図４Ａと４Ｂに示された配置装置の詳細図を示す。
【図５Ｃ】図４Ａと４Ｂに示された配置装置の詳細図を示す。
【図５Ｄ】図４Ａと４Ｂに示された配置装置の詳細図を示す。
【図１Ａ】
2005521399.tif 000003
【図１Ｂ】
2005521399.tif 000004
【図１Ｃ】
2005521399.tif 000005
【図２】
2005521399.tif 000006
【図３Ａ】
2005521399.tif 000007
【図３Ｂ】
2005521399.tif 000008
【図４Ａ】
2005521399.tif 000009
【図４Ｂ】
2005521399.tif 000010
【図５Ａ】
2005521399.tif 000011
【図５Ｂ】
2005521399.tif 000012
【図５Ｃ】
2005521399.tif 000013
【図５Ｄ】
2005521399.tif 000014
【国際調査報告】
2005521399.tif 000015